(57)【要約】【課題】缶容器端部への取り付け及び取り外しが容易で、かつ、不用意な脱落がない景品ケースを提供する。【解決手段】景品ケース１は、景品２を載置するための載置板３と、この載置板３の下側に設け缶容器４端部に嵌合し得るように下端を開放した嵌合用筒部５と、前記載置板３の上側に設け上端を開放した上側筒部６とを一体的に形成し、前記嵌合用筒部５内面に缶容器４上端部の突縁４ａに係止し得る二つの係止突起７，７を設けた適度の弾性を有するプラスチックで構成したホルダ８と、このホルダ８の上側筒部６内側に前記ホルダ８に対して係脱可能に連繋し、前記ホルダ８との間に景品２を収容するための内部空間を形成するようにした透視可能な適度の弾性を有するプラスチックで構成したカバー９とから構成する。【選択図】図２
2008087823.tif 000002
【特許請求の範囲】
【請求項１】
景品を載置するようにした載置板と、この載置板下側に載置板と一体的に設け、缶容器端部に嵌合し得るよう下端を開放した嵌合用筒部とを備え、この嵌合用筒部内面に缶容器端部の突縁に係止し得る係止突起を設けた適度の弾性を有するプラスチックで構成したホルダと、前記載置板上側に前記ホルダに対して係脱可能に被冠し前記載置板との間に景品を収容するための内部空間を形成するようにした透視可能なカバーとから構成した缶容器に取り付ける景品ケースであって、前記載置板は、その中心から周縁に向けて放射状に延びる３本以上の切り込みを設けたことを特徴とする缶容器に取り付ける景品ケース。
【発明の詳細な説明】
【技術分野】
【０００１】
本発明は、清涼飲料用などの缶容器端部に分離可能に取り付け、内部に消費者の購買意欲を高める景品を収容した販売促進用の缶容器に取り付ける景品ケースに関する。
【背景技術】
【０００２】
従来、缶容器に分離可能に取り付ける景品ケースとしては、下端を開放するとともに景品などを載置するための平板部を有し、缶容器上端に嵌合するようにした筒状の台座部と、この台座部の上に分離可能に取り付ける蓋部とからなるもの（特許文献１参照）が提案されている。前記台座部は、その開放下端の内面に、内側に突出する複数の係止突起が設けてあり、台座部を缶容器端部に取り付けるには、台座部を缶容器端部に被せ、各係止突起を缶容器端部の突縁に係止させるよう押し込んで嵌合させ、また、台座部を缶容器端部から取り外すには、台座部を缶容器に対して、缶容器の突縁と係止突起との係止状態を強引に引き離して解除するというものである。
【特許文献１】特開２００５−２４７３４６号公報
【発明の開示】
【発明が解決しようとする課題】
【０００３】
前記従来例は、台座部の各係止突起の突出長が短いと、運搬時や販売時の取り扱い中に前記係止突起が缶容器端部の突縁から外れ、不用意に脱落し易いために、前記係止突起の突出長を長くする必要があるが、前記突出長が長いと、缶容器から取り外す際に引き離すために大きな力が必要となり、特に女性や子供には取り外せない場合があるという不都合がある。
【０００４】
本発明は、上記不都合を解消することを課題とし、該課題を解決した缶容器に取り付ける景品ケースを提供することを目的とする。
【課題を解決するための手段】
【０００５】
上記目的を達成するために、請求項１に記載の本発明は、景品を載置するようにした載置板と、この載置板下側に載置板と一体的に設け、缶容器端部に嵌合し得るよう下端を開放した嵌合用筒部とを備え、この嵌合用筒部内面に缶容器端部の突縁に係止し得る係止突起を設けた適度の弾性を有するプラスチックで構成したホルダと、前記載置板上側に前記ホルダに対して係脱可能に被冠し前記載置板との間に景品を収容するための内部空間を形成するようにした透視可能なカバーとから構成した缶容器に取り付ける景品ケースであって、前記載置板は、その中心から周縁に向けて放射状に延びる３本以上の切り込みを設けたものである。
【発明の効果】
【０００６】
以上のように構成した本発明の景品ケースは、缶容器から取り外すときには、ホルダの係止突起間の周縁部分の対向する二点を押しつぶすように握ることによって、前記ホルダが変形し、前記係止突起と缶容器端部の突縁との係止状態を解除し得るので、容易に分離することができ、加えて、このように係止突起と缶容器端部の突縁との係止状態を解除し易いので、缶容器に取り付けた状態において不用意に脱落しない程度に係止突起の突出長を長く設定することができるという効果を奏する。
【発明を実施するための最良の形態】
【０００７】
以下に、本発明を飲料用缶容器に適用した好適な実施形態を添付図面に基づいて詳細に説明する。ここにおいて、添付図面の図１は缶容器に取り付けた状態の正面図、図２は分解状態の正面図、図３はホルダの底面図、図４は変形した状態を示すホルダの底面図、図５はホルダの平面図、図６はホルダとカバーとの連繋状態を示す部分拡大縦断面図、図７はホルダの他の実施形態を示す底面図、図８はホルダのその他の実施形態を示す底面図である。
【０００８】
図１〜図６に示すように、景品ケース１は、景品２を載置するための載置板３、この載置板３の下側に設け、缶容器４端部に嵌合し得るように下端を開放した嵌合用筒部５、前記載置板３の上側に形成し上端を開放した上側筒部６を一体形成してなり、前記嵌合用筒部５内面に、缶容器４上端部の突縁４ａに係止し得る二つの係止突起７，７を設けたホルダ８と、このホルダ８の上側筒部６内側に分離可能に連繋し、前記ホルダ８との間に景品２を収容するための内部空間を形成するようなした透視可能なカバー９とから構成する。
【０００９】
図１〜図６に示すように、ホルダ８は、適度の弾性を有するプラスチックで成形され、その載置板３には、中心から周縁に向けて放射状に延びる８本の切り込み１０・・・を形成してある。このように、前記ホルダ８は、適度の弾性を有するとともに載置板３には切り込み１０・・・が設けてあるので、係止突起７，７に対応位置する二箇所とは９０°ずれた対向する二箇所の載置板３に対応する部分を手で押し潰すように掴む（図４の矢印ａ，ａ参照）と、所定の切り込み１０・・・が窄まってホルダ８全体が変形し、前記係止突起７，７間の距離が拡大する一方、前記掴む力を抜くと元の円形状に復帰するものである。そして、このホルダ８を缶容器４端部に取り付けるときには、ホルダ８を前記のように変形させて缶容器４端部に嵌合すれば、一対の係止突起７，７間の距離が拡大するので、ホルダ８の嵌合用筒部５が缶容器４の突縁４ａの外側を越える。ここで手を離して元の形状に復帰させれば係止突起７，７が突縁４ａに係止した状態となり、一方、取り外すときには、前記と同様に変形させて引き離せば、嵌合用筒部５の係止突起７，７と缶容器４の突縁４ａとの前記係止状態は解除され、前記ホルダ８は分離できる。
【００１０】
図１、図２、図６に示すように、カバー９は、透明で適度の弾性を有するプラスチックにより、一端を開放したほぼ椀形で、かつ、その外周が前記上側筒部６の内周より若干小さく形成されている。また、このカバー９の前記開放端縁部には、中心を挟んで対向位置する部分に、前記ホルダ８の上側筒部６内面に設けた係合凹部１１，１１に係合する係合凸部１２，１２を設ける。この係合凸部１２，１２は、それぞれ両脇に切り込み１２ａ，１２ａを設けることによって（図２参照）、係合凹部１１，１１への接離方向に弾力をもたせてある。そして、前記カバー９は、適度の弾性を有しているので、ホルダ８に取り付けたり取り外すときには、上側筒部６内側に挿入した状態において、前記係合凸部１２，１２に対応する部分を指で押し潰すようにして変形させ、係合凸部１２，１２間の距離を短縮して係合凹部１１，１１に係合あるいは係合解除を行うものである。
【００１１】
図１及び図２に示すように、景品２は、泥山を模した泥山模型２ａ上を走行しているミニカー２ｂであって、前記カバー９を透して外部から視認でき、購買者の目を引くものである。なお、前記ミニカー２ｂは泥山模型２ａに固定されている。また、図２中、符号１３は、前記泥山模型２ａの下側に配置し、泥山模型２ａを安定した状態で載置板３上に載置するための下敷きである。
【００１２】
次に、以上のように構成した景品ケース１を缶容器４端部に取り付ける作業を説明する。先ず、ホルダ８を、一対の係止突起７，７間の距離が拡大するように変形させた状態で、飲料入りの缶容器４端部に嵌合し、ホルダ８の嵌合用筒部５が缶容器４の突縁４ａを越えたところで、手を離して前記変形を復帰させる。この復帰状態では、係止突起７，７が突縁４ａに確実に係止してるので、ホルダ８が缶容器４端部から脱落することはない。そして図１のように景品４入り景品ケース１を取り付けた缶飲料たる飲料入り缶容器４は、店頭に並べられて販売される。
【００１３】
一方、店頭において、景品ケース１内の景品２であるミニカー２ｂの存在により購買欲が高まって缶飲料を購入した購買者は、前記取り付け作業におけるホルダ８の取り付けの場合と同様に、ホルダ８の係止突起７，７と９０°ずれた二箇所を掴んで一対の係止突起７，７間の距離が拡大するように変形させた状態で、缶容器４から引き離すと、前記係止突起７，７と缶容器４の突縁４ａの係止状態は解け、缶容器４から景品ケース１を分離することができる。そして、購買者は、缶容器４から分離した景品２を景品ケース１に入った状態で、あるいはカバー９を取り外しミニカー２ｂを取り出した状態で、それぞれ鑑賞したり飾り物とすることができる。前記カバー９の取り外しは、前記取り付け作業と同様に、カバー９の係合凸部１２，１２に対応する部分を指で押し潰すようにして変形させ、係合凸部１２，１２間を縮小した状態でホルダ８からカバー９を引き離すと、係合凹部１１，１１と係合凸部１２，１２との係合状態が解け、露出した載置板３から景品２を取り出すことができる。
【００１４】
なお、本発明は、上記各実施形態になんら限定されるものではなく、例えば、載置板３に設けた切り込み１０・・・は８本ではなく、３本以上の複数であれば、例えば、図７（ホルダの他の実施形態を示す底面図）及び図８（ホルダのその他の実施形態を示す底面図）に示すように、４本、３本など３本以上であればよいほか、缶容器４は飲料用でなく各種缶詰用などであってもよい。また、景品２は泥山模型２ａに固定したミニカー２ｂではなく、菓子などであってもよいうえ、下敷き１３は設けなくてもよい。さらに、カバー９をホルダに着脱する構造は、係合凹部１１，１１と係合凸部１２，１２でなくともよい。
【図面の簡単な説明】
【００１５】
【図１】缶容器に取り付けた状態の正面図。
【図２】分解状態の正面図。
【図３】ホルダの底面図。
【図４】変形した状態を示すホルダの底面図。
【図５】ホルダの平面図。
【図６】ホルダとカバーとの連繋状態を示す部分拡大縦断面図。
【図７】ホルダの他の実施形態を示す底面図。
【図８】ホルダのその他の実施形態を示す底面図
【符号の説明】
【００１６】
１    景品ケース
２    景品
２ａ    泥山模型
２ｂ    ミニカー
３    載置板
４    缶容器
４ａ    突縁
５    嵌合用筒部
６    上側筒部
７    係止突起
８    ホルダ
９    カバー
１０    切り欠き
１１    係合凹部
１２    係合凸部
１３    下敷き
【図１】
2008087823.tif 000003
【図２】
2008087823.tif 000004
【図３】
2008087823.tif 000005
【図４】
2008087823.tif 000006
【図５】
2008087823.tif 000007
【図６】
2008087823.tif 000008
【図７】
2008087823.tif 000009
【図８】
2008087823.tif 000010